(57)【要約】【課題】  睫毛にマスカラを塗布するときに回転操作を行うだけで、カール効果を高めること。【解決手段】  樹脂製ブラシ軸１２にブラシ部１４が一体成型又はブラシ部１４が単独で成形されてブラシ軸１２に接合され、ブラシ部１４には、複数の櫛刃１８が軸方向に沿って分散して配置されているとともに、各櫛刃１８の両側に溝２０、２２が形成され、各溝２０、２２は、その中央部２０ａ、２２ａが両端部２０ｂ、２０ｃ、２２ｂ、２２ｃよりも凹んだ凹部として形成されているとともに、その断面がＲ形状に形成されている。【選択図】  図３
2008073155.tif 000002
【特許請求の範囲】
【請求項１】
樹脂製ブラシ軸にブラシ部が一体成型又は前記ブラシ部が単独で成形されて前記ブラシ軸に接合された化粧用塗布具において、前記ブラシ部は、前記ブラシ軸の径方向に沿って形成された櫛刃を複数個有し、前記各櫛刃は、前記ブラシ軸の軸方向に沿って分散して配置され、前記各櫛刃の両側には溝が形成され、前記各溝は、その中央部が両端部よりも凹んだ凹部として形成されているとともに、その断面がＲ形状に形成されてなることを特徴とする化粧用塗布具。
【請求項２】
請求項１に記載の化粧用塗布具において、前記各溝は、２個一組として前記各櫛刃の両側に形成され、前記各２個一組の溝は、前記各櫛刃の中心部から両端側に向かって左右に分かれて形成されているとともに、それぞれ一端部が頂部として前記各櫛刃の中央部上端側に対応して形成され、他端部が底部としてそれぞれ前記各櫛刃の底部両端側に対応して形成されてなることを特徴とする化粧用塗布具。
【請求項３】
請求項１に記載の化粧用塗布具において、前記各溝は、一端部が頂部として、前記各櫛刃の両端部上端側のうち一方に対応して形成され、他端部が底部として、前記各櫛刃の両端部下端側のうち一方に対応して形成されてなることを特徴とする化粧用塗布具。
【請求項４】
請求項１、２または３のうちいずれか１項に記載の化粧用塗布具において、前記各櫛刃のうち前記各溝に対応した部位は、その中央部が両端部よりも凹んだ凹部として形成されているとともに、その断面がＲ形状に形成されてなることを特徴とする化粧用塗布具。
【発明の詳細な説明】
【技術分野】
【０００１】
本発明は、睫毛にマスカラ（睫毛墨）を塗布するための化粧用塗布具に関する。
【背景技術】
【０００２】
睫毛にマスカラを塗布するための化粧用塗布具としては、例えば、マスカラ用ブラシが知られている。従来のマスカラ用ブラシとしては、ブラシ軸の中心軸を含む面を中心にしてその両側の外周面に、それぞれ深さの異なる溝を所定間隔で形成するとともに、深さの浅い溝の溝相互間の間隔を、深さの深い溝の溝相互間の間隔よりも狭く形成したものが（特許文献１参照）、あるいは多数枚の櫛刃をスペーサを介して所定の間隔で積み重ねた形状のブラシ部と、このブラシ部と一体に樹脂成型されたブラシ軸とからなるもの（特許文献２参照）等が提案されている。
【０００３】
【特許文献１】実公昭６３−４０１６８号公報
【特許文献２】実開昭６１−３９０１５号公報
【発明の開示】
【発明が解決しようとする課題】
【０００４】
しかし、従来のマスカラ用ブラシでは、睫毛にマスカラを塗布した後、カール効果を引き出すためには、ビューラーを用いなければならず、マスカラ用ブラシだけでカール効果を引き出すに十分ではない。
【０００５】
本発明は、前記従来技術の課題に鑑みて為されたものであり、その目的は、睫毛にマスカラを塗布するときに回転操作を行うだけで、カール効果を高めることにある。
【課題を解決するための手段】
【０００６】
前記課題を解決するために、請求項１に係る化粧用塗布具においては、樹脂製ブラシ軸にブラシ部が一体成型又は前記ブラシ部が単独で成形されて前記ブラシ軸に接合された化粧用塗布具において、前記ブラシ部は、前記ブラシ軸の径方向に沿って形成された櫛刃を複数個有し、前記各櫛刃は、前記ブラシ軸の軸方向に沿って分散して配置され、前記各櫛刃の両側には溝が形成され、前記各溝は、その中央部が両端部よりも凹んだ凹部として形成されているとともに、その断面がＲ形状に形成されてなる構成とした。
【０００７】
（作用）睫毛にマスカラを塗布するに際して、ブラシ部の各溝にマスカラを十分に付着させ、ブラシ軸のうちブラシ部から離れた軸方向端部を持って、ブラシ軸を睫毛と略平行に配置し、ブラシ軸のブラシ部を睫毛の下側に当接させると、睫毛の一部がブラシ部の複数の溝に接触する。この後、睫毛が溝のＲ形状部に沿うように、ブラシ軸を回転させながら持ち上げると、この過程では、各溝のＲ形状部が、睫毛をカールさせた状態でキープされる。この後、ブラシ軸をさらに持ち上げると、ブラシ部が睫毛から離れ、睫毛にはマスカラが十分に塗布されるとともに、睫毛が十分にカールされた状態になる。この操作を数回繰り返すことで、睫毛全体にマスカラを十分塗布することができるともに、睫毛全体を十分にカールすることができる。すなわち、睫毛にマスカラを塗布した後、ビューラーを用いることなく、カール効果を高めることができる。
【０００８】
請求項２に係る化粧用塗布具においては、請求項１に記載の化粧用塗布具において、前記各溝は、２個一組として前記各櫛刃の両側に形成され、前記各２個一組の溝は、前記各櫛刃の中心部から両端側に向かって左右に分かれて形成されているとともに、それぞれ一端部が頂部として前記各櫛刃の中央部上端側に対応して形成され、他端部が底部としてそれぞれ前記各櫛刃の底部両端側に対応して形成されてなる構成とした。
【０００９】
（作用）各溝は、２個一組で構成されて、左右に分かれて形成されているので、左側の溝を左手用として用い、右側の溝を右手用として用いることができる。すなわち、左利きの人でも、右利きの人でも、ブラシ軸を回転操作するだけで、睫毛全体にマスカラを十分塗布することができるともに、睫毛全体を十分にカールすることができる。
【００１０】
請求項３に係る化粧用塗布具においては、請求項１に記載の化粧用塗布具において、前記各溝は、一端部が頂部として、前記各櫛刃の両端部上端側のうち一方に対応して形成され、他端部が底部として、前記各櫛刃の両端部下端側のうち一方に対応して形成されてなる構成とした。
【００１１】
（作用）溝を左手用として形成したときには、左利きの人が、ブラシ軸を回転操作するだけで、睫毛全体にマスカラを十分塗布することができるともに、睫毛全体を十分にカールすることができる。一方、溝を右手用として形成したときには、右利きの人が、ブラシ軸を回転操作するだけで、睫毛全体にマスカラを十分塗布することができるともに、睫毛全体を十分にカールすることができる。
【００１２】
請求項４に係る化粧用塗布具においては、請求項１、２または３のうちいずれか１項に記載の化粧用塗布具において、前記各櫛刃のうち前記各溝に対応した部位は、その中央部が両端部よりも凹んだ凹部として形成されているとともに、その断面がＲ形状に形成されてなる構成とした。
【００１３】
（作用）各櫛刃のうち各溝に対応した部位が、凹部として形成されているとともに、その断面がＲ形状に形成されているので、睫毛を溝のＲ形状部とともに、櫛刃のＲ形状部に沿わせることができ、カール効果をより高めることができる。
【発明の効果】
【００１４】
以上の説明から明らかなように、請求項１に係る化粧用塗布具によれば、睫毛にマスカラを塗布した後、ビューラーを用いることなく、カール効果を高めることができる。
【００１５】
請求項２に係る化粧用塗布具によれば、左利きの人でも、右利きの人でも、カール効果を高めることができる。
【００１６】
請求項３に係る化粧用塗布具によれば、溝を左手用として形成したときには、左利きの人が用いることで、カール効果を高めることができ、溝を右手用として形成したときには、右利きの人が用いることで、カール効果を高めることができる。
【００１７】
請求項４に係る化粧用塗布具によれば、カール効果をより高めることができる。
【発明を実施するための最良の形態】
【００１８】
以下、本発明の実施例を図面に基づいて説明する。図１は、本発明の第１実施例を示す化粧用塗布具の正面図、図２は、同じく平面図、図３は、図１のＡ−Ａ線に沿う拡大断面図、図４（ａ）〜（ｄ）は、化粧用塗布具を用いて睫毛にマスカラを塗布するときの操作方法を説明するための図、図５は、本発明の第２実施例を示す化粧用塗布具の正面図、図６は、同じく平面図、図７は、図５のＡ−Ａ線に沿う拡大断面図、図８は、左手用塗布具の要部拡大断面図、図９（ａ）は、従来品１のマスカラ用ブラシの正面図、（ｂ）は、（ａ）のＡ−Ａ線に沿う断面図、図１０（ａ）は、従来品２のマスカラ用ブラシの正面図、（ｂ）は、（ａ）のＢ−Ｂ線に沿う断面図、図１１（ａ）は、従来品３のマスカラ用ブラシの正面図、（ｂ）は、（ａ）のＣ−Ｃ線に沿う断面図、図１２は、本発明係る化粧用塗布具（発明品）と従来品との評価結果を説明するための図である。
【００１９】
図１乃至図３において、化粧用塗布具１０は、例えば、マスカラ用ブラシとして、略円柱状に形成された樹脂製ブラシ軸１２を備えており、ブラシ軸１２は、ブラシ部１４と操作部１６が一体成型又はブラシ部１４が単独で成形されてブラシ軸１２に接合されて構成されている。ブラシ部１４は、ブラシ軸１２の径方向に沿って形成された櫛刃１８を複数個有し、各櫛刃１８は、ブラシ軸１２の軸方向に沿って分散して配置されている。このブラシ部１４には、各櫛刃１８に隣接して、各櫛刃１８の両側には溝２０、２２が形成されている。各溝２０、２２は、中央部２０ａ、２２ａが両端部２０ｂ、２０ｃ、２２ｂ、２２ｃよりも凹んだ凹部として形成されているとともに、その断面がＲ形状（略１／４円弧形状）に形成されている。すなわち、溝２０、２２は、２個一組として、各櫛刃１８の両側にそれぞれ形成されており、各２個一組の溝２０、２２は、各櫛刃１８の中心部上端側１８ａから底部両端側１８ｂ、１８ｃに向かって左右に分かれて形成されているとともに、それぞれ一端部２０ｂ、２２ｂが頂部として、各櫛刃１８の中央部上端側１８ａに対応して、各櫛刃１８の中央部上端側１８ａよりも低く形成され、他端部２０ｃ、２２ｃが底部として、それぞれ各櫛刃１８の底部両端側１８ｂ、１８ｃに対応して形成されている。この場合、溝２０は、操作部１６からブラシ部１４を見たときに右側に配置されて、右手用として用いられ、溝２２は、操作部１６からブラシ部１４を見たときに左側に配置されて、左手用として用いられるようになっている。
【００２０】
一方、各櫛刃１８のうち各溝２０、２２に対応した部位には溝２４、２６が形成されている。各溝２４、２６は、中央部２４ａ、２６ａが両端部２４ｂ、２４ｃ、２６ｂ、２６ｃよりも凹んだ凹部として形成されているとともに、断面がＲ形状（略１／４円弧形状）に形成されている。
【００２１】
上記構成において、化粧用塗布具１０を用いて睫毛にマスカラを塗布するに際しては、ブラシ部１４の各溝２０、２２にマスカラを十分に付着させる。この後、図４（ａ）に示すように、ブラシ軸１２の操作部１６の軸方向端部を右手で持って、ブラシ軸１２を睫毛２８と略平行に配置し、ブラシ軸１２のブラシ部１４を睫毛２８の下側に当接させると、睫毛２８の一部がブラシ部１４の複数の溝２０に接触する。この後、図４（ｂ）、（ｃ）に示すように、睫毛２８が溝２０のＲ形状部に沿うように、ブラシ軸１２を回転させながら持ち上げると、この過程では、各溝２０のＲ形状部が、睫毛２８をカールさせた状態でキープされる。この後、図４（ｄ）に示すように、ブラシ軸１２をさらに持ち上げると、ブラシ部１４が睫毛２８から離れ、睫毛２８にはマスカラが十分に塗布されるとともに、睫毛２８が十分にカールされた状態になる。
【００２２】
この後、睫毛２８に対するブラシ部１４の位置を変えて、図４（ａ）〜（ｄ）に示す操作を数回繰り返すことで、睫毛２８全体にマスカラを十分塗布することができるともに、睫毛２８全体を十分にカールすることができる。すなわち、睫毛２８にマスカラを塗布した後、ビューラーを用いることなく、カール効果を高めることができる。この場合、各櫛刃１８のうち各溝２０、２２に対応した部位には溝２４、２６が形成され、各溝２４、２６の断面がＲ形状に形成されているので、睫毛２８を溝２０、２２のＲ形状部と溝２４、２６のＲ形状部に沿わせることができ、カール効果をより高めることができる。
【００２３】
また、溝２２を左手用として用いるときには、ブラシ軸１２の操作部１６の軸方向端部を左手で持って、ブラシ軸１２を睫毛２８と略平行に配置し、その後、右手のときと同様な操作を行うことで、睫毛２８全体にマスカラを十分塗布することができるともに、睫毛２８全体を十分にカールすることができる。すなわち、左手でも、睫毛２８にマスカラを塗布した後、ビューラーを用いることなく、カール効果を高めることができる。
【００２４】
本実施例によれば、右手または左手で操作部１６を持ってブラシ軸１２を回転操作するだけで、睫毛２８にマスカラを塗布した後、ビューラーを用いることなく、カール効果を高めることができる。
【００２５】
また、本実施例によれば、睫毛２８のカール効果を高めることができることから、目の輪郭をくっきりと強調できるとともに、Ｒの程よい角度でブラシ軸１２がぴたっと止まってくれるので、睫毛２８をカールした状態でキープすることができ、さらに、睫毛２８そのものはナチュラルな仕上がりにできる。
【００２６】
次に、本発明の第２実施例を図５乃至図７に従って説明する。本実施例は、櫛刃１８の代わりに、櫛刃３０を形成し、溝２０、２２の代わりに、櫛刃３０の両側に単一の溝３２を右手用として形成し、この溝３２に対応して、櫛刃３０に溝３４を形成したものであり、その他の構成は第１実施例と同様である。
【００２７】
溝３２は、中央部３２ａが両端部３２ｂ、３２ｃよりも凹んだ凹部として形成されているとともに、その断面がＲ形状（略１／４円弧形状）に形成されている。この場合、溝３２は、右手用として、一端部３２ｂが頂部として、各櫛刃３０の上端部３０ａに対応して、各櫛刃３０の上端部３０ａよりも低く形成され、他端部３２ｃが底部として、各櫛刃３０の下端部３０ｂに対応して形成されている。
【００２８】
一方、各櫛刃３０のうち各溝３２に対応した部位には溝３４が形成されている。各溝３４は、中央部３４ａが両端部３４ｂ、３４ｃよりも凹んだ凹部として形成されているとともに、断面がＲ形状（略１／４円弧形状）に形成されている。
【００２９】
上記構成において、化粧用塗布具１０を用いて睫毛にマスカラを塗布するに際しては、ブラシ部１４の各溝３２にマスカラを十分に付着させる。この後、ブラシ軸１２の操作部１６の軸方向端部を右手で持って、ブラシ軸１２を睫毛２８と略平行に配置し、ブラシ軸１２のブラシ部１４を睫毛２８の下側に当接させると、睫毛２８の一部がブラシ部１４の複数の溝３２に接触する。この後、図４（ｂ）〜（ｄ）と同様な操作を行うととともに、睫毛２８に対するブラシ部１４の位置を変えて、これらの操作を数回繰り返すことで、睫毛２８全体にマスカラを十分塗布することができるともに、睫毛２８全体を十分にカールすることができる。すなわち、睫毛２８にマスカラを塗布した後、ビューラーを用いることなく、カール効果を高めることができる。
【００３０】
本実施例によれば、右手で操作部１６を持ってブラシ軸１２を回転操作するだけで、睫毛２８にマスカラを塗布した後、ビューラーを用いることなく、カール効果を高めることができる。
【００３１】
また、本実施例によれば、睫毛２８のカール効果を高めることができることから、目の輪郭をくっきりと強調できるとともに、Ｒの程よい角度でブラシ軸１２がぴたっと止まってくれるので、睫毛２８をカールした状態でキープすることができ、さらに、睫毛２８そのものはナチュラルな仕上がりにできる。
【００３２】
また、左手用を構成するに際しては、図８に示すように、櫛刃１８の代わりに、櫛刃３６を形成し、溝２０、２２の代わりに、櫛刃３６の両側に単一の溝３８を左手用として形成し、この溝３８に対応して、櫛刃３６に溝４０を形成し、その他の構成を第１実施例と同様とすることができる。
【００３３】
溝３８は、中央部３８ａが両端部３８ｂ、３８ｃよりも凹んだ凹部として形成されているとともに、その断面がＲ形状（略１／４円弧形状）に形成されている。この場合、溝３８は、左手用として、一端部３８ｂが頂部として、各櫛刃３６の上端部３６ａに対応して、各櫛刃３６の上端部３６ａよりも低く形成され、他端部３８ｃが底部として、各櫛刃３６の下端部３６ｂに対応して形成されている。
【００３４】
一方、各櫛刃３６のうち各溝３８に対応した部位には溝４０が形成されている。各溝４０は、中央部４０ａが両端部４０ｂ、４０ｃよりも凹んだ凹部として形成されているとともに、断面がＲ形状（略１／４円弧形状）に形成されている。
【００３５】
本実施例において、化粧用塗布具１０を用いて睫毛２８にマスカラを塗布するに際しては、ブラシ部１４の各溝３８にマスカラを十分に付着させる。この後、ブラシ軸１２の操作部１６の軸方向端部を左手で持って、ブラシ軸１２を睫毛２８と略平行に配置し、ブラシ軸１２のブラシ部１４を睫毛２８の下側に当接させると、睫毛２８の一部がブラシ部１４の複数の溝３８に接触する。この後、図４（ｂ）〜（ｄ）と同様な操作を行うととともに、睫毛２８に対するブラシ部１４の位置を変えて、これらの操作を数回繰り返すことで、睫毛２８全体にマスカラを十分塗布することができるともに、睫毛２８全体を十分にカールすることができる。すなわち、睫毛２８にマスカラを塗布した後、ビューラーを用いることなく、カール効果を高めることができる。
【００３６】
本実施例によれば、左手で操作部１６を持ってブラシ軸１２を回転操作するだけで、睫毛２８にマスカラを塗布した後、ビューラーを用いることなく、カール効果を高めることができる。
【００３７】
また、本実施例によれば、睫毛２８のカール効果を高めることができることから、目の輪郭をくっきりと強調できるとともに、Ｒの程よい角度でブラシ軸１２がぴたっと止まってくれるので、睫毛２８をカールした状態でキープすることができ、さらに、睫毛２８そのものはナチュラルな仕上がりにできる。
【００３８】
ここで、第１実施例における化粧用塗布具１０を発明品とし、この発明品と従来品とを比較するために、従来品１として、図９に示すマスカラ用ブラシ１００を用い、従来品２として、図１０に示すマスカラ用ブラシ１０２を用い、従来品３として、図１１に示すマスカラ用ブラシ１０４を用い、発明品と各従来品とを比較したところ、図１２に示すような評価結果が得られた。
【００３９】
図１２において、◎は、すごく効果がある。○は、効果がある。△は、普通である。×は、効果なしである。
【００４０】
図１２において、ボリューム効果に関しては、従来品１が最も良く、次に、従来品２が良く、その次が発明品と従来品３であり、カール効果に関しては、発明品が最も良く、次に、従来品１、２が良く、その次が従来品３である。ロング効果に関しては、発明品と従来品１、２がともに効果がある程度で、従来品３は普通であり、セパレート効果に関しては、発明品が最も良く、次に、従来品３が良く、その次が従来品１、２である。
【００４１】
図１２の評価結果から、本発明に係る化粧用塗布具１０をマスカラ用ブラシとして用いることで、カール効果およびセパレート効果が従来品１、２、３に比べて特に優れていることが分かる。
【図面の簡単な説明】
【００４２】
【図１】本発明の第１実施例を示す化粧用塗布具の正面図である。
【図２】本発明の第１実施例を示す化粧用塗布具の平面図である。
【図３】図１のＡ−Ａ線に沿う拡大断面図である。
【図４】（ａ）〜（ｄ）は、化粧用塗布具を用いて睫毛にマスカラを塗布するときの操作方法を説明するための図である。
【図５】本発明の第２実施例を示す化粧用塗布具の正面図である。
【図６】本発明の第２実施例を示す化粧用塗布具の平面図である。
【図７】図５のＡ−Ａ線に沿う拡大断面図である。
【図８】左手用塗布具の要部拡大断面図である。
【図９】（ａ）は、従来品１のマスカラ用ブラシの正面図、（ｂ）は、（ａ）のＡ−Ａ線に沿う断面図である。
【図１０】（ａ）は、従来品２のマスカラ用ブラシの正面図、（ｂ）は、（ａ）のＢ−Ｂ線に沿う断面図である。
【図１１】（ａ）は、従来品３のマスカラ用ブラシの正面図、（ｂ）は、（ａ）のＣ−Ｃ線に沿う断面図である。
【図１２】本発明係る化粧用塗布具（発明品）と従来品との評価結果を説明するための図である。
【符号の説明】
【００４３】
１０  化粧用塗布具
１２  ブラシ軸
１４  ブラシ部
１６  操作部
１８  櫛刃
２０、２２、２４、２６  溝
２８  睫毛
３０  櫛刃
３２、３４  溝
３６  櫛刃
３８、４０  溝
【図１】
2008073155.tif 000003
【図２】
2008073155.tif 000004
【図３】
2008073155.tif 000005
【図４】
2008073155.tif 000006
【図５】
2008073155.tif 000007
【図６】
2008073155.tif 000008
【図７】
2008073155.tif 000009
【図８】
2008073155.tif 000010
【図９】
2008073155.tif 000011
【図１０】
2008073155.tif 000012
【図１１】
2008073155.tif 000013
【図１２】
2008073155.tif 000014